(57)【要約】【課題】戸先側框及び吊元側框のそれぞれに配置されるガラス外れ止め部材の左右のバランスを適切に設定できるとともに高い製造性を実現できる建具を提供すること。【解決手段】建具１が備える障子２０は、ガラス２５と、ガラス２５を挟んで対向する一対の框（吊元側縦框３３及び戸先側縦框３４）のそれぞれに配置されるガラス外れ止め部材４０と、を有し、戸先側縦框３４の框に配置される距離ａ１〜ａ１０のガラス外れ止め部材４０の位置と、吊元側縦框３３の框に配置される距離ｂ１〜ｂ１０のガラス外れ止め部材４０の位置と、が障子２０の中心Ｏを対称中心とする点対称の関係にある。【選択図】図６
2019085828.tif 000002
【特許請求の範囲】
【請求項１】
枠体及び前記枠体に開閉可能に取り付けられる障子を備える建具であって、
前記障子は、
ガラスと、
前記ガラスの四周を覆う上下左右の框と、
前記上下左右の框のうち、前記ガラスを挟んで対向する一対の框のそれぞれに配置されるガラス外れ止め部材と、
を有し、
前記一対の框のうちの一方の框に配置される複数のガラス外れ止め部材の位置と、一対の框のうちの他方の框に配置される複数のガラス外れ止め部材の位置と、が前記障子の中心を対称中心とする点対称の関係にある建具。
【請求項２】
前記一方の框に埋設される開閉機構を更に備え、
前記一方の框に配置される前記ガラス外れ止め部材は、前記開閉機構の位置を避けて配置され、
前記他方の框に配置される前記ガラス外れ止め部材は、前記一方の框に配置される前記ガラス外れ止め部材の位置を基準として点対称に配置される請求項１に記載の建具。
【請求項３】
前記一方の框の前記ガラス側の見込面に配置される第１セッティングブロックと、
前記他方の框の前記ガラス側の見込面に配置される第２セッティングブロックと、
を更に備え、
前記第１セッティングブロックの位置と、前記第２セッティングブロックの位置と、が前記障子の中心を対称中心とする点対称の関係にある請求項１又は２に記載の建具。
【発明の詳細な説明】
【技術分野】
【０００１】
本発明は、本発明は、開閉可能な障子を備える建具に関する。
【背景技術】
【０００２】
従来、障子の框体に納めされるガラスの外れを防止するために、框体の見込面にガラス外れ止め部材を配置する建具が知られている。この種の建具に関するものとして特許文献１がある。
【０００３】
特許文献１には、複数の板ガラスが互いに間隔を隔てて対面され、火災時に加熱される加熱空間側と非加熱空間側とに空間を分けるガラス材と、ガラス材の外周端部を全周に渡って収容する収容部を有する枠状部材と、を有し、ガラス材の下部側に位置する収容部を形成する枠状部材の部位には、ガラス材が加熱空間側から加熱された際に、加熱空間側で加熱された空気を、収容部内へ導入する熱導入部を備えている窓ユニットについて記載されている。
【先行技術文献】
【特許文献】
【０００４】
【特許文献１】特開２０１４−１５６７２６号公報
【発明の概要】
【発明が解決しようとする課題】
【０００５】
特許文献１では、縦框に配置されるガラス外れ止め部材が等間隔に配置されており、対向する框のそれぞれのガラス外れ止め部材が略同じ高さになっている。しかしながら、開閉可能な障子の框は、戸先側と吊元側で配置される部品が異なるため、ガラス外れ止め部材を同じ高さに設置できない場合がある。例えば、戸先側框にはシリンダ錠やハンドル機構等の機能部品が埋設されており、ガラス外れ止め部材を取り付ける位置を調整しなければならない場合や、戸先側と吊元側で左右非対称にセッティングブロックが配置される場合等である。一方で戸先側と吊元側でバランス良くガラス外れ止め部材を配置する必要があるが、戸先側と吊元側で配置の仕方が違えば、製造工程もその分複雑化してしまう。
【０００６】
本発明は、戸先側框及び吊元側框のそれぞれに配置されるガラス外れ止め部材の左右のバランスを適切に設定できるとともに高い製造性を実現できる建具を提供することを目的とする。
【課題を解決するための手段】
【０００７】
本発明は、本発明は、枠体（例えば、後述の枠体１０）及び前記枠体に開閉可能に取り付けられる障子（例えば、後述の障子２０）を備える建具（例えば、後述の建具１）であって、前記障子は、ガラス（例えば、後述のガラス２５）と、前記ガラスの四周を覆う上下左右の框（上框３１、下框３２、吊元側縦框３３及び戸先側縦框３４）と、前記上下左右の框のうち、前記ガラスを挟んで対向する一対の框（吊元側縦框３３及び戸先側縦框３４）のそれぞれに配置されるガラス外れ止め部材（例えば、後述のガラス外れ止め部材４０）と、を有し、前記一対の框のうちの一方の框に配置される複数のガラス外れ止め部材（例えば、後述の距離ａ１〜ａ１０のガラス外れ止め部材４０）の位置と、一対の框のうちの他方の框に配置される複数のガラス外れ止め部材（例えば、後述の距離ｂ１〜ｂ１０のガラス外れ止め部材４０）の位置と、が前記障子の中心（例えば、後述の中心Ｏ）を対称中心とする点対称の関係にある建具に関する。
【０００８】
前記一方の框に埋設される開閉機構（例えば、後述のハンドル機構５７、シリンダ錠６０）を更に備え、前記一方の框に配置される前記ガラス外れ止め部材は、前記開閉機構の位置を避けて配置され、前記他方の框に配置される前記ガラス外れ止め部材は、前記一方の框に配置される前記ガラス外れ止め部材の位置を基準として点対称に配置されることが好ましい。
【０００９】
前記建具は、前記一方の框の前記ガラス側の見込面に配置される第１セッティングブロック（例えば、後述のセッティングブロック１０１ａ）と、前記他方の框の前記ガラス側の見込面に配置される第２セッティングブロック（例えば、後述のセッティングブロック１０１ｂ）と、を更に備え、前記第１セッティングブロックの位置と、前記第２セッティングブロックの位置と、が前記障子の中心を対称中心とする点対称の関係にあることが好ましい。
【発明の効果】
【００１０】
本発明の建具によれば、戸先側框及び吊元側框のそれぞれに配置されるガラス外れ止め部材の左右のバランスを適切に設定できるとともに高い製造性を実現できる。
【図面の簡単な説明】
【００１１】
【図１】本発明の一実施形態に係る建具を室外側から見た様子を示す図である。
【図２】本実施形態の建具の縦断面図である。
【図３】本実施形態の建具の横断面図である。
【図４】本実施形態の戸先側縦框に配置されるガラス外れ止め部材の配置関係を示す図である。
【図５】本実施形態のガラス側から吊元側縦框の見込面を見た様子が示されている。配置されるガラス外れ止め部材の配置関係を示す図である。
【図６】本実施形態の戸先側縦框及び吊元側縦框に配置されるガラス外れ止め部材の位置関係を模式的に示す図である。
【図７】本実施形態のガラス外れ止め部材の分解斜視図である。
【発明を実施するための形態】
【００１２】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１３】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１４】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１５】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１６】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１７】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１８】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００１９】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２０】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２１】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２２】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２３】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２４】
次に、障子２０の構成について説明する。障子２０は、ガラス２５と、ガラス２５を囲うように構成される框体３０と、を含むように構成される戸体である。
【００２５】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ-Ｅ（Ｌｏｗ Ｅｍｉｓｓｉｖｉｔｙ）ガラスで構成される。
【００２６】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２７】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２８】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００２９】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３０】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３１】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３２】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３３】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３４】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３５】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３６】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３７】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３８】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００３９】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４０】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４１】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４２】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４３】
また、枠体１０に開閉可能に吊り込まれる障子２０は、上枠１１と上框３１を接続するアーム部材６１によって所定以上開かないように開閉範囲が規制される。
【００４４】
次に、ガラス外れ止め部材４０の位置関係について説明する。図４は、戸先側縦框３４に配置されるガラス外れ止め部材４０の配置関係を示す図である。図４の（ａ）には、戸先側縦框３４を室内側から見た様子が示され、（ｂ）にはガラス２５側から戸先側縦框３４の見込面を見た様子が示されている。図５は、本実施形態のガラス２５側から吊元側縦框３３の見込面を見た様子が示されている。
【００４５】
図４（ａ）に示すように、戸先側縦框３４には、室外側ハンドル５５及び室内側ハンドル５６の操作に連動してスライドプレート５１を上下させるハンドル機構５７の本体ケース５７１が埋設される。また、ハンドル機構５７の上下には、シリンダ錠６０の本体ケース６０１がそれぞれ埋設されている。
【００４６】
図４（ｂ）に示すように、戸先側縦框３４の見込面には、該戸先側縦框３４の長手方向に間隔をあけて１０個（複数）のガラス外れ止め部材４０が配置されている。戸先側縦框３４の室外側を室外側面３４ｏとし、室内側を室内側面３４ｐとすると、ガラス外れ止め部材４０は、室内側面３４ｐ寄りに上下方向に整列している。
【００４７】
戸先側縦框３４のガラス２５側の見込面上部には、セッティングブロック１０１ａが配置される。セッティングブロック１０１ａは、上框３１に連結されるとともに戸先側縦框３４に連結される框側コーナー金具６５の下端部に近接又は接触する位置で両面テープや接着剤等によって戸先側縦框３４の見込面に固定されている。
【００４８】
吊元側縦框３３のガラス２５側の見込面下部にも、セッティングブロック１０１ｂが配置される。セッティングブロック１０１ｂは、下框３２に連結されるとともに吊元側縦框３３に連結される框側コーナー金具６５の上端部に近接又は接触する位置で両面テープや接着剤等によって吊元側縦框３３の見込面に固定されている。
【００４９】
このように、セッティングブロック１０１ａとセッティングブロック１０１ｂは、左右非対称（点対称）位置関係となっている。即ち、セッティングブロック１０１ａは、戸先側縦框３４のガラス開口部２９の見込面における上端部の近傍に配置されており、セッティングブロック１０１ｂは、吊元側縦框３３のガラス開口部２９の見込面における下端部の近傍に配置されている。
【００５０】
次に、戸先側縦框３４と吊元側縦框３３に配置されるガラス外れ止め部材４０の位置関係を説明するために、ガラス外れ止め部材４０の上下方向の位置を規定する。図４に示すように、戸先側縦框３４の上端面の位置を始点としてガラス外れ止め部材４０の上下方向の中心までの距離を距離ａ１とする。また、上から２番目のガラス外れ止め部材４０の上下方向の中心から戸先側縦框３４の下端面までの距離をａ２とする。以下、上から３番目以降のガラス外れ止め部材４０においても同様に、ガラス外れ止め部材４０の上下方向の中心から戸先側縦框３４の下端面までの距離を距離ａ３，距離ａ４，距離ａ５，距離ａ６，距離ａ７，距離ａ８，距離ａ９，距離ａ１０とする。
【００５１】
戸先側縦框３４の最も上側に位置する距離ａ１のガラス外れ止め部材４０は、セッティングブロック１０１ａの下端部に近接又は接触する位置であり、最も下側に位置する距離ａ１０のガラス外れ止め部材４０は、下框３２に連結されるとともに戸先側縦框３４に連結される框側コーナー金具６５の上端部に近接又は接触する位置になっている。距離ａ１のガラス外れ止め部材４０と、距離ａ１０のガラス外れ止め部材４０と、の間で距離ａ２〜ａ９のガラス外れ止め部材４０が上述のシリンダ錠６０やハンドル機構５７等の機能品を避けて配置される構成となっている。
【００５２】
戸先側縦框３４の最も上部に配置されるガラス外れ止め部材４０から４個目までのガラス外れ止め部材４０の集まりを戸先側第１グループ４０ａとし（距離ａ１〜ａ４のガラス外れ止め部材４０）、上から５個目と６個目のガラス外れ止め部材４０の集まりを戸先側第２グループ４０ｂとする（距離ａ５，ａ６のガラス外れ止め部材４０）。戸先側第１グループ４０ａと戸先側第２グループ４０ｂの間には上側に配置されるシリンダ錠６０の本体ケース６０１が位置する。
【００５３】
また、上から７個目と８個目のガラス外れ止め部材４０の集まりを戸先側第３グループ４０ｃとする（距離ａ７，ａ８のガラス外れ止め部材４０）。戸先側第２グループ４０ｂと戸先側第３グループ４０ｃの間にはハンドル機構５７の本体ケース５７１が位置する。更に、上から９個目と１０個目のガラス外れ止め部材４０の集まりを戸先側第４グループ４０ｄとする（距離ａ９，ａ１０）と、戸先側第３グループ４０ｃと戸先側第４グループ４０ｄの間に上側に配置されるシリンダ錠６０の本体ケース６０１が位置する。
【００５４】
図５に示すように、吊元側縦框３３の下端面の位置を始点としてガラス外れ止め部材４０の上下方向の中心までの距離を距離ｂ１とする。また、下から２番目のガラス外れ止め部材４０の上下方向の中心から吊元側縦框３３の上端面までの距離をｂ２とする。以下、下から３番目以降のガラス外れ止め部材４０においても同様に、ガラス外れ止め部材４０の上下方向の中心から吊元側縦框３３の上端面までの距離を距離ｂ３，距離ｂ４，距離ｂ５，距離ｂ６，距離ｂ７，距離ｂ８，距離ｂ９，距離ｂ１０とする。
【００５５】
図６は、本実施形態の戸先側縦框３４及び吊元側縦框３３に配置されるガラス外れ止め部材４０の位置関係を模式的に示す図である。図６の上側には戸先側縦框３４が示されており、下側には戸先側縦框３４に対して上下の向き（紙面においては左右方向）を逆にした吊元側縦框３３が示されている。
【００５６】
戸先側縦框３４と吊元側縦框３３を上下逆にすると戸先側縦框３４の最も上側に位置するガラス外れ止め部材４０（距離ａ１のガラス外れ止め部材４０）が、吊元側縦框３３の最も下側に位置するガラス外れ止め部材４０（距離ｂ１のガラス外れ止め部材４０）と一致することがわかる。即ち、ａ１＝ｂ１が成立する。同様に、ａ２＝ｂ２、ａ３＝ｂ３、ａ４＝ｂ４、ａ５＝ｂ５、ａ６＝ｂ６、ａ７＝ｂ７、ａ８＝ｂ８、ａ９＝ｂ９、ａ１０＝ｂ１０が成立している。このように、戸先側縦框３４と吊元側縦框３３の何れかを上下逆にして同じ向きに揃えると、戸先側縦框３４に配置される距離ａ１〜ａ１０のガラス外れ止め部材４０の取付位置の間隔と、吊元側縦框３３に配置される距離ｂ１〜ｂ１０のガラス外れ止め部材４０の取付位置の間隔とが一致することになる。
【００５７】
即ち、戸先側縦框３４のガラス外れ止め部材４０の位置と、吊元側縦框３３のガラス外れ部材４０の位置と、が正面視において障子２０の中心Ｏを対称中心とする点対称な関係になっている（図１参照）。なお、図１では、障子２０の中心Ｏが矩形に枠組みされた框体３０のコーナーを結ぶ対角線９０１，９０２の交点として記載されているが、障子２０の中心がこの構成に限られるわけでなく、ガラス２５の対角を結ぶ対角線の交点であってもよいし、ガラス２５の重心や障子２０全体の重心の位置等を障子２０の中心とすることもできる。
【００５８】
従って、戸先側縦框３４の最も上に位置するグループである戸先側第１グループ４０ａに対応する吊元側縦框３３のグループは、最も下に位置し、４個のガラス外れ止め部材４０の集まりである吊元側第１グループ４０ｅである（距離ｂ１〜ｂ４のガラス外れ止め部材４０）。以下、下から上の順に、吊元側第２グループ４０ｆ（距離ｂ５，ｂ６のガラス外れ止め部材４０）、吊元側第３グループ４０ｇ（距離ｂ７，ｂ８のガラス外れ止め部材４０）、吊元側第４グループ４０ｈ（距離ｂ９，ｂ１０のガラス外れ止め部材４０）が、戸先側第２グループ４０ｂ、戸先側第３グループ４０ｃ、戸先側第４グループ４０ｄに対応するグループとなる。これらの吊元側第１グループ４０ｅ〜ｈの間には機能部品が配置されておらず、戸先側縦框３４の配置関係に基づいて決まっている。
【００５９】
また、図６に示す逆向きにした状態では、戸先側縦框３４の室外側面３４ｏと吊元側縦框３３の室外側面３３ｏは同じ側を向き、当然、戸先側縦框３４の室内側面３４ｐと吊元側縦框３３の室内側面３３ｐも同じ側を向く。本実施形態では、戸先側縦框３４と吊元側縦框３３は同じ断面形状であり、見込方向におけるガラス外れ止め部材４０の取付位置も一致することになる。
【００６０】
次に、本実施形態で用いられるガラス外れ止め部材４０の構成について例示する。ガラス外れ止め部材４０として例えば、図７に示す構成のものを用いることができる。図７は、本実施形態のガラス外れ止め部材４０の分解斜視図である。
【００６１】
図７に示すように、ガラス外れ止め部材４０は、框体３０に固定される保持金具４１と、保持金具４１の上に配置され、保持金具４１の上に配置される受台部４３と、受台部４３に係合する押さえ片４２と、からなる。本実施形態では、保持金具４１、受台部４３及び押さえ片４２は、何れも金属製（例えば、ステンレス鋼）である。
【００６２】
保持金具４１は、固定部４１ａと、側壁部４１ｂと、スリット部４１ｃを有する。
固定部４１ａは、略長方形の平坦な面を有するとともに、長手方向の一方及び他方に締結孔４１ｄを有する。固定部４１ａは、締結孔４１ｄにネジを挿通して框体３０のガラス開口部の見込面に固定される（図１参照）。
側壁部４１ｂは、保持金具４１の長手方向に沿う一対の側縁の内の一方から起立する板面である。側壁部４１ｂは、保持金具４１がガラス開口部に取り付けられた状態で、固定部４１ａの室内側の端部から起立する。側壁部４１ｂは、取り付けた状態でガラス２５の面に対向する。
スリット部４１ｃは、固定部４１ａと側壁部４１ｂとの接続部（固定部４１ａと側壁部４１ｂが交差する角部）に形成され、保持金具４１の長手方向の中央寄りに配置される。スリット部４１ｃは、後述する押さえ片４２の係合部４２ｂ及び足部４２ｃに対向する部分が切り欠かれて貫通する細長い貫通孔である。
【００６３】
受台部４３は、台部４３ａと、取付部４３ｂとを有する。受台部４３は、平面視で略コ字状の板状の部材であり、保持金具４１の上に載せて固定される。
台部４３ａは、略長方形の平坦な面である。台部４３ａは、側面から見ると受台部４３の取り付け面（保持金具４１と接する面）よりも高い位置にあり、受台部４３を保持金具４１に取り付けた状態で、固定部４１ａとの間に隙間を形成するように配置される。
取付部４３ｂは、台部４３ａの両側から下方に屈曲し、台部４３ａよりも低い位置に延びる平坦な取り付け面である。取付部４３ｂは、ネジの締結孔４３ｃを有し、ネジにより保持金具４１に固定される。
【００６４】
押さえ片４２は、押さえ部４２ａと、係合部４２ｂと、足部４２ｃと、を有する三股の部材である。
押さえ部４２ａは、略長方形の板面であり、取り付けた状態で保持金具４１の側壁部４１ｂとも対向するように起立する（図７参照）。押さえ部４２ａは、ガラス２５の室外側面を押さえる。
係合部４２ｂは、押さえ部４２ａの長手方向の略中央部から、框体３０の見込面に沿う方向に延びる。係合部４２ｂは、平面視で略Ｔ字状であり、押さえ部４２ａを基端として延び、係合部４２ｂの先端部で二股に分かれている。係合部４２ｂは、二股に分かれた先が爪部４２ｄとなって、押さえ部４２ａ側へ戻るように延びるとともに、上方に反って傾斜している。
足部４２ｃは、押さえ部４２ａの長手方向の両端部から係合部４２ｂと平行な方向に延びる細長い面である。足部４２ｃは平面視で係合部４２ｂの両側部に延びる。足部４２ｃの先端部４２ｅは、係合部４２ｂの爪部４２ｄと反対方向に向かって上方に沿って傾斜している。足部４２ｃは、係合部４２ｂと上下方向の高さが異なる。足部４２ｃは、係合部４２ｂよりも低く、固定部４１ａに摺動可能になっており、係合部４２ｂは、足部４２ｃよりも高い位置で、固定部４１ａと接しないように延びている。
【００６５】
押さえ片４２は、係合部４２ｂ及び足部４２ｃを、保持金具４１の固定部４１ａと、受台部４３の台部４３ａとの間に挿入して配置される。
押さえ片４２が固定部４１ａと台部４３ａとの間の隙間に挿入された状態で、係合部４２ｂの先端部は、スリット部４１ｃ内に位置する（図７参照）。詳細には、係合部４２ｂの先端部は、ガラス２５の室内側の表面よりも、室内側に位置する。
【００６６】
係合部４２ｂの爪部４２ｄは、押さえ片４２側に向かって上方に沿って傾斜しているので、押さえ片４２を室外側に引き抜こうとしても、係合部４２ｂが台部４３ａの側縁に係合することで、押さえ片４２が外れないように構成されている。
なお、足部４２ｃの先端部４２ｅは上方に向かって沿って傾斜しており、室外側へ摺動しやすくなっている。
【００６７】
押さえ片４２は、受台部４３に係合した状態でも見込方向で若干の移動が可能となっている。受台部４３と押さえ片４２の係合を解除する場合は、スリット部４１ｃから、係合部４２ｂの爪部４２ｄを、ドライバー等で台部４３ａに引っ掛からないように下方に押し込んだ状態で、押さえ部４２ａ側に向かって移動させる。爪部４２ｄは、ドライバー等で押さえられた状態で台部４３ａの下を通過し、押さえ片４２と受台部４３との係合が解除される。
【００６８】
ガラス外れ止め部材４０は、このように、保持金具４１、受台部４３、押さえ片４２がそれぞれ組み合わされて固定された状態で、押さえ片４２の押さえ部４２ａと、保持金具４１の側壁部４１ｂとがガラス２４の面に対向する方向に延び、ガラス２５の室内外方向の移動を規制する。ガラス外れ止め部材４０は、ガラス２５が火災等で高熱に曝されて変形した際、ガラス２５が框体３０から外れることを防止する。なお、ここで説明したガラス外れ止め部材４０の構成に限定されるわけではなく、種々の構成のガラス外れ止め部材を適用することができる。
【００６９】
以上説明した上記実施形態の構成によれば、以下のような効果を奏する。
建具１は、その障子２０が、ガラス２５と、ガラス２５の四周を覆う上框３１、下框３２、吊元側縦框３３及び戸先側縦框３４のうち、ガラス２５を挟んで対向する一対の框（吊元側縦框３３及び戸先側縦框３４）のそれぞれに配置されるガラス外れ止め部材４０と、を有し、戸先側縦框３４の框に配置される距離ａ１〜ａ１０のガラス外れ止め部材４０の位置と、吊元側縦框３３の框に配置される距離ｂ１〜ｂ１０のガラス外れ止め部材４０の位置と、が障子２０の中心Ｏを対称中心とする点対称の関係にある。
【００７０】
これにより、セッティングブロック１０１ａ，１０１ｂや機能部品等の配置を考慮しつつ、左右のバランスをとって安定したガラス２５の保持を実現できる。また、ガラス外れ止め部材４０の取付位置が左右非対称であっても、戸先側縦框３４に対して吊元側縦框３３（又は吊元側縦框３３に対して戸先側縦框３４）の向きを長手方向基準で逆向き（上下逆向き）にするとガラス外れ止め部材４０を取り付けるための加工位置が長手方向では同じ位置となる。従って、向きを変えることで同じ製造ラインを利用して戸先側縦框３４及び吊元側縦框３３にガラス外れ止め部材４０を取り付けるための加工を行うことが可能となり、製造コストの低減を実現することができる。
【００７１】
また、本実施形態の建具１の障子２０は、戸先側縦框３４に埋設される開閉機構としてのハンドル機構５７及びシリンダ錠６０を更に備え、戸先側縦框３４に配置されるガラス外れ止め部材４０は、ハンドル機構５７及びシリンダ錠６０の位置を避けて配置され、吊元側縦框３３に配置されるガラス外れ止め部材４０は、戸先側縦框３４に配置されるガラス外れ止め部材４０の位置を基準として点対称に配置される。
これにより、上下のシリンダ錠６０及びハンドル機構５７等の機能部品の一部が埋設される戸先側縦框３４の当該機能部品を避けるように配置されたガラス外れ止め部材４０のレイアウトの方を基準とすることで、戸先側縦框３４では機能部品を避けた配置となり、機能部品の位置を考慮する必要がない吊元側縦框３３では戸先側縦框３４のレイアウトに点対称な配置として製造工程をより効率化できる。
【００７２】
また、本実施形態の建具１の障子２０は、戸先側縦框３４のガラス２５側の見込面に配置されるセッティングブロック（第１セッティングブロック）１０１ａと、吊元側縦框３３のガラス２５側の見込面に配置されるセッティングブロック（第２セッティングブロック）１０１ｂと、を更に備え、セッティングブロック１０１ａの位置と、セッティングブロック１０１ｂの位置と、が障子２０の中心Ｏを対称中心とする点対称の関係にある。
これにより、バランスを考えて左右非対称（点対称）に配置されるセッティングブロック１０１ａ，１０１ｂの位置も考慮されるので、ガラス外れ止め部材４０のレイアウトを取り付ける際にセッティングブロック１０１ａ，１０１ｂが干渉することもなく、ガラス２５を安定的に支持するための構成をより一層容易に実現できる。
【００７３】
上記実施形態で説明したガラス外れ止め部材４０のレイアウトに限定されるわけではなく、上述した位置関係を満たしながら、その位置を適宜変更することもできる。例えば、セッティングブロック１０１ａ，１０１ｂから離れるに従ってガラス外れ止め部材４０の間隔を短くして配置することもできる。セッティングブロック１０１ａ，１０１ｂがないためにガラス２５の遊びが大きくなっている箇所にガラス外れ止め部材４０を多く配置することで、火災発生時においてもガラス２５の保持を安定的なものにすることができる。
【００７４】
以上、本発明の好ましい実施形態について説明したが、本発明は、上述の実施形態や変形例に制限されるものではなく、適宜変更が可能である。例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００７５】
また、上記実施形態では、勝手口ドアを本発明の建具の一例として説明したがこの構成に限定されるわけではなく、スイング式の開閉ドアや開閉窓、引戸等、障子を開閉する構成を備える種々の建具に本発明を適用することができる。
【符号の説明】
【００７６】
１  建具
１０  枠体
２０  障子
２５  ガラス
３３  吊元側縦框（吊元側框）
３４  戸先側縦框（戸先側框）
４０  ガラス外れ止め部材
５７  ハンドル機構（開閉機構）
６０  シリンダ錠（開閉機構）
１０１ａ  セッティングブロック（第１セッティングブロック）
１０１ｂ  セッティングブロック（第２セッティングブロック）
【図１】
2019085828.tif 000003
【図２】
2019085828.tif 000004
【図３】
2019085828.tif 000005
【図４】
2019085828.tif 000006
【図５】
2019085828.tif 000007
【図６】
2019085828.tif 000008
【図７】
2019085828.tif 000009